(57)【要約】【課題】密封容器の打開操作が簡単で、携帯に便利であるようにする。【解決手段】内部添付打開機構付密封容器であって、密封端と開口端とを有する細長い管状のケーシングと、前記の密封端に近接して前記の細長い管状のケーシング内に密封した流体と、前記の細長い管状のケーシングの内部に置き入れ、且つ流体を細長い管状のケーシング内に密封し、操作時にその細長い管状のケーシングの内部に収納した流体を流出する、内部添付打開機構と、を備えることを特徴とするもの。【選択図】図１
0003110652.tif 000002
【実用新案登録請求の範囲】
【請求項１】
密封端と開口端とを有する細長い管状のケーシングと、
前記の密封端に近接して前記の細長い管状のケーシング内に密封した流体と、
前記の細長い管状のケーシングの内部に置き入れ、且つ流体を細長い管状のケーシング内に密封し、操作時にその細長い管状のケーシングの内部に収納した流体を流出する、内部添付打開機構と、
を備えることを特徴とする、
内部添付打開機構付密封容器。
【請求項２】
前記の内部添付打開機構には、円柱体と、
前記円柱体と離脱可能な細長い突出物とを備え、
前記円柱体の外径は、前記の細長い管状のケーシングの内径とほぼ同径になるように形成し、
前記の細長い管状のケーシング内の流体の保存箇所より前記の細長い管状のケーシングの開口端部までは、流体の流動経路を形成し、
流体の流動経路を封止するために、前記の細長い突出物を円柱体の流体に近接する端部より伸び出したことを特徴とする、
請求項１に記載の、内部添付打開機構付密封容器。
【請求項３】
前記の内部添付打開機構には、中空の円柱体を有し、
前記の流体に向かう開口端を備え、
細長い部材を有する密封端を備え、
前記の細長い部材が中空の円柱体より細長い管状のケーシングの開口端まで延伸し、
前記の中空の円柱体において破れやすい断面を配設し、
破れやすい断面の位置を前記の中空の円柱体の密封端に近接するように設定したことを特徴とする、
請求項１に記載の、内部添付打開機構付密封容器。
【請求項４】
前記の内部添付打開機構には、変形可能なコップ状物を配設したことを特徴とする、
請求項１に記載の、内部添付打開機構付密封容器。
【請求項５】
前記の内部添付打開機構には、変形可能な球状体を備えたことを特徴とする、
請求項１に記載の、内部添付打開機構付密封容器。
【請求項６】
前記の内部添付打開機構には、塞ぐための塞がり部材を切り裂き部に有し、
前記塞がり部材には単数または複数の孔部を有し、
前記孔部が前記の塞がり部材のそれぞれの端部より前記の切り裂き部を延伸貫通し、塞がり部材の他の端部より貫通することはなく、
前記の管状ケーシングにおける前記の塞がり部材の位置する箇所またはその近傍の部分にひねりを加え、その塞がり部材が前記の切り裂き部で分裂し、一本または一本以上の流体の流動経路を形成し、流体をその管状のケーシングの開口端部までガイドすることを特徴とする、
請求項１に記載の、内部添付打開機構付密封容器。
【請求項７】
前記の塞がり部材として、ひねりを加える場合に、分裂または打開されるようになるような打開装置を使用し、
前記打開装置の箇所近傍に前記管状のケーシングにひねりを加えると、その流体の流動経路が打開可能になることを特徴とする、
請求項６に記載の、内部添付打開機構付密封容器。
【請求項８】
前記の内部添付打開機構には、円柱状部材と細長状部材とを含み、
前記円柱状部材のウエスト部の外径を小径に形成し、
前記二つの末端部を前記の管状のケーシングの内径とほぼ相同に形成し、
前記の円柱状部材には軸方向に穿孔を形成し、
流体の存在する箇所より管状のケーシングの開口端まで流体の流動経路を形成し、
前記細長状部材を前記の管状のケーシングの密封端に固定し、
円柱状部材内の穿孔まで延伸し、
円柱状部材の穿孔と流体の流動経路とを密封し、
円柱状部材の存在する箇所またはその近傍の部分を折り曲げ、
流体を前記の管状のケーシングより取り出す際には、前記細長状の部材が円柱状の部材内の穿孔と分離し、前記の穿孔と前記の流体の流動経路を打開可能にしたことを特徴とする、
請求項１に記載の、内部添付打開機構付密封容器。
【請求項９】
前記の内部添付打開機構には二つの円形の皿状物同士を有し、
前記円形の皿状物の横断面はほぼ管状のケーシングの内径と同じく設定し、
前記円形の皿状物の厚さが前記の管状のケーシングの内部へ滑り込むことを防止できる程度に設定し、
前記二つの円形の皿状物同士にはそれぞれ単数又は複数の穿孔を形成し、
二つの円形の皿状物同士を前記の管状のケーシング中に位置決めし、且つ相互に当接し、
それらの二つの円形の皿状物同士内の穿孔が、他の円形の皿状物に覆われるように設定し、
二つの円形の皿状物の存在する箇所またはその近傍の前記の管状のケーシングの部分を折り曲げる場合に、その管状のケーシングが変形し、変形される管状のケーシングが二つの円形の皿状物同士を分離可能であり、流体の流動経路を形成可能であることを特徴とする、
請求項１に記載の、内部添付打開機構付密封容器。
【請求項１０】
前記の管状のケーシングにひねりを加えることにより、前記の二つの円形の皿状物同士を分離させることを特徴とする、
請求項９に記載の、内部添付打開機構付密封容器。
【請求項１１】
前記の内部添付打開機構には、円柱状部材を有し、
円柱状部材の長さが前記の管状ケーシングの内部へ転落することを防止する程度に設定し、
前記円柱状部材を対角に沿って半分に分割し、
対角における切り裂きを形成し、
前記対角における切り裂きにおいて、円柱状部材の対角切り裂きを封止するための薄片を設け、
前記管状ケーシング内の流体を円柱状部材の背面部に密封し、
前記の管状のケーシングを押し詰める場合に、前記の円柱状部材が圧縮され、その円柱状部材の二つの部分が相互に滑走して一体になるように当接され、円柱状部材の断面を縮小し、且つ円柱状部材の外側と管状ケーシングの内壁部との間に流体の流動経路を形成し、流体を管状のケーシングより流出可能にしたことを特徴とする、
請求項１に記載の、内部添付打開機構付密封容器。
【請求項１２】
前記の内部添付打開機構には応用部材を配設し、
中間段落部の直径を管状のケーシングの内径とほぼ同径に設定し、
応用部材の第一の末端部には、力を受けて圧迫可能なように、取っ手状に二分岐部を形成し、
前記の応用部材の第二の末端部の幅方向の断面を前記の管状ケーシングの内径より小さく形成し、
第二の末端部から二分岐部まで、前記第一の末端部での接合箇所近傍において切り裂き部を形成し、
前記管状のケーシングを押し詰めることによって二分岐部を圧着接合可能とし、前記応用部材が縦方向に沿って二つの部分に分裂可能にすると共に、前記応用部材を貫通する流体の流動経路を形成し、流体が管状のケーシングより流出することを特徴とする、
請求項１に記載の、内部添付打開機構付密封容器。
【請求項１３】
前記の内部添付打開機構には、細長いコップ状物を有し、その径が前記の管状のケーシングの内径とほぼ同じになるように、且つその長さがその径より大きくなるように設定し、
前記細長いコップ状物には封止端を有し、
前記細長いコップ状物の尾端部には細長い突出物を有し、
且つその細長い突出物においては、切れる際にその細長いコップ状物の密閉端部に開口を形成するように、一回りの切り裂き線を形成し、
前記の細長いコップ状物を前記の管状ケーシングの内部に差し込むことによって、管状のケーシングの内方の流体を密封し、
コップ状物の位置を細長いコップ状物の密閉端近傍に形成した場合、前記管状のケーシングを折り曲げる際に、前記細長い突出物がその切り裂き線の箇所において細長いコップ状物が分裂し、流体の流動経路を形成し、流体を管状のケーシングより流出可能にしたことを特徴とする、
請求項１に記載の、内部添付打開機構付密封容器。
【請求項１４】
流体の表面張力を減じるために、前記の細長い管状ケーシングの密閉端には細長い部材を固着したことを特徴とする、
請求項１に記載の、内部添付打開機構付密封容器。
【請求項１５】
前記の内部添付打開機構には、細長い部材を有し、
前記の細長い部材を細長い管状ケーシングの内部に配設し、
前記の細長い管状ケーシング内の流体を密封し、
前記の細長い部材が前記の細長状の管状ケーシングの開口端まで延伸し、
打開機構を操作することによって前記の液体を管状ケーシングより流出可能にしたことを特徴とする、
請求項１に記載の、内部添付打開機構付密封容器。
【考案の詳細な説明】
【技術分野】
【０００１】
本考案は、密封容器に係るもの、特に打開装置を介して容器内に密封した流体を容器の外部へ流出する内部添付打開機構付密封容器に関するものである。
【背景技術】
【０００２】
密閉容器は、通常はそれぞれ異なるタイプの打開装置によって打開されるものであり、それらの打開装置の類型については、大部分がネジ山を有する蓋体や係止機能を有する蓋体などを採用するものである。
また、破れやすい封止ストリップまたは刻み線条を配設し、それらの容器の封止ストリップや刻み線条などを破くことで、容器内に収納される内容物が流出可能となる。
【考案の開示】
【考案が解決しようとする課題】
【０００３】
従来の打開装置は容器の外部に設けたものであり、例えば、ネジ山を有する蓋体や係止機能を有する蓋体などが例として挙げられる。
つまり、容器の外部に付着されると共に、容器の一部となるもので、前記の容器における破れやすい封止ストリップや刻み線条なども同様な構成となっている。
しかし、容器内に打開装置を設けたもの、そのように設計した容器でも密閉容器内の流体を完全に流出可能な密封容器は存在していない。
横断面が小さい小型の細長い容器についても、十分な係止機能を有しつつ構造が簡単に設計された打開装置の存在は無い。
【０００４】
本考案は以上の点に鑑みて成されたもので、その目的とするところは、流体を管状のケーシングの中に密封し、使用者は打開装置を操作するだけで前記の流体を前記の管状ケーシングの外部へ流出可能にする、内部添付打開機構付密封容器を提供することにある。
また、本考案は、操作が簡単であり、組立が容易であり、携帯に便利であること等の多くの優れた点を有する内部添付打開機構付密封容器を提供する。
【課題を解決するための手段】
【０００５】
本願の第１考案に係る内部添付打開機構付密封容器は、密封端と開口端とを有する細長い管状のケーシングと、前記の密封端に近接して前記の細長い管状のケーシング内に密封した流体と、前記の細長い管状のケーシングの内部に置き入れ、且つ流体を細長い管状のケーシング内に密封し、操作時にその細長い管状のケーシングの内部に収納した流体を流出する、内部添付打開機構と、を備えることを特徴とするものである。
本願の第２考案に係る内部添付打開機構付密封容器は、第１考案に記載の内部添付打開機構付密封容器において、前記の内部添付打開機構には、円柱体と、前記円柱体と離脱可能な細長い突出物とを備え、前記円柱体の外径は、前記の細長い管状のケーシングの内径とほぼ同径になるように形成し、前記の細長い管状のケーシング内の流体の保存箇所より前記の細長い管状のケーシングの開口端部までは、流体の流動経路を形成し、流体の流動経路を封止するために、前記の細長い突出物を円柱体の流体に近接する端部より伸び出したことを特徴とするものである。
本願の第３考案に係る内部添付打開機構付密封容器は、第１考案に記載の内部添付打開機構付密封容器において、前記の内部添付打開機構には、中空の円柱体を有し、前記の流体に向かう開口端を備え、細長い部材を有する密封端を備え、前記の細長い部材が中空の円柱体より細長い管状のケーシングの開口端まで延伸し、前記の中空の円柱体において破れやすい断面を配設し、破れやすい断面の位置を前記の中空の円柱体の密封端に近接するように設定したことを特徴とするものである。
本願の第４考案に係る内部添付打開機構付密封容器は、第１考案に記載の内部添付打開機構付密封容器において、前記の内部添付打開機構には、変形可能なコップ状物を配設したことを特徴とするものである。
本願の第５考案に係る内部添付打開機構付密封容器は、第１考案に記載の内部添付打開機構付密封容器において、前記の内部添付打開機構には、変形可能な球状体を備えたことを特徴とするものである。
本願の第６考案に係る内部添付打開機構付密封容器は、第１考案に記載の内部添付打開機構密封容器において、前記の内部添付打開機構には、塞ぐための塞がり部材を切り裂き部に有し、前記塞がり部材には単数または複数の孔部を有し、前記孔部が前記の塞がり部材のそれぞれの端部より前記の切り裂き部を延伸貫通し、塞がり部材の他の端部より貫通することはなく、前記の管状ケーシングにおける前記の塞がり部材の位置する箇所またはその近傍の部分にひねりを加え、その塞がり部材が前記の切り裂き部で分裂し、一本または一本以上の流体の流動経路を形成し、流体をその管状のケーシングの開口端部までガイドすることを特徴とするものである。
本願の第７考案に係る内部添付打開機構付密封容器は、第６考案に記載の内部添付打開機構密封容器において、前記の塞がり部材として、ひねりを加える場合に、分裂または打開されるようになるような打開装置を使用し、前記打開装置の箇所近傍に前記管状のケーシングにひねりを加えると、その流体の流動経路が打開可能になることを特徴とするものである。
本願の第８考案に係る内部添付打開機構付密封容器は、第１考案に記載の内部添付打開機構密封容器において、前記の内部添付打開機構には、円柱状部材と細長状部材とを含み、前記円柱状部材のウエスト部の外径を小径に形成し、前記二つの末端部を前記の管状のケーシングの内径とほぼ相同に形成し、前記の円柱状部材には軸方向に穿孔を形成し、流体の存在する箇所より管状のケーシングの開口端まで流体の流動経路を形成し、前記細長状部材を前記の管状のケーシングの密封端に固定し、円柱状部材内の穿孔まで延伸し、円柱状部材の穿孔と流体の流動経路とを密封し、円柱状部材の存在する箇所またはその近傍の部分を折り曲げ、流体を前記の管状のケーシングより取り出す際には、前記細長状の部材が円柱状の部材内の穿孔と分離し、前記の穿孔と前記の流体の流動経路を打開可能にしたことを特徴とするものである。
本願の第９考案に係る内部添付打開機構付密封容器は、第１考案に記載の内部添付打開機構密封容器において、前記の内部添付打開機構には二つの円形の皿状物同士を有し、前記円形の皿状物の横断面はほぼ管状のケーシングの内径と同じく設定し、前記円形の皿状物の厚さが前記の管状のケーシングの内部へ滑り込むことを防止できる程度に設定し、前記二つの円形の皿状物同士にはそれぞれ単数又は複数の穿孔を形成し、前記二つの円形の皿状物同士にはすべて一つまたはそれ以上の穿孔が形成され、二つの円形の皿状物同士を前記の管状のケーシング中に位置決めし、且つ相互に当接し、それらの二つの円形の皿状物同士内の穿孔が、他の円形の皿状物に覆われるように設定し、二つの円形の皿状物の存在する箇所またはその近傍の前記の管状のケーシングの部分を折り曲げる場合に、その管状のケーシングが変形し、変形される管状のケーシングが二つの円形の皿状物同士を分離可能であり、流体の流動経路を形成可能であることを特徴とするものである。
本願の第１０考案に係る内部添付打開機構付密封容器は、第９考案に記載の内部添付打開機構付密封容器において、前記の管状のケーシングにひねりを加えることにより、前記の二つの円形の皿状物同士を分離させることを特徴とするものである。
本願の第１１考案に係る内部添付打開機構付密封容器は、第１考案に記載の内部添付打開機構付密封容器において、前記の内部添付打開機構には、円柱状部材を有し、円柱状部材の長さが前記の管状ケーシングの内部へ転落することを防止する程度に設定し、前記円柱状部材を対角に沿って半分に分割し、対角における切り裂きを形成し、前記対角における切り裂きにおいて、円柱状部材の対角切り裂きを封止するための薄片を設け、前記管状ケーシング内の流体を円柱状部材の背面部に密封し、前記の管状のケーシングを押し詰める場合に、前記の円柱状部材が圧縮され、その円柱状部材の二つの部分が相互に滑走して一体になるように当接され、円柱状部材の断面を縮小し、且つ円柱状部材の外側と管状ケーシングの内壁部との間に流体の流動経路を形成し、流体を管状のケーシングより流出可能にしたことを特徴とするものである。
本願の第１２考案に係る内部添付打開機構付密封容器は、第１考案に記載の内部添付打開機構付密封容器において、前記の内部添付打開機構には応用部材を配設し、中間段落部の直径を管状のケーシングの内径とほぼ同径に設定し、応用部材の第一の末端部には、力を受けて圧迫可能なように、取っ手状に二分岐部を形成し、前記の応用部材の第二の末端部の幅方向の断面を前記の管状ケーシングの内径より小さく形成し、第二の末端部から二分岐部まで、前記第一の末端部での接合箇所近傍において切り裂き部を形成し、前記管状のケーシングを押し詰めることによって二分岐部を圧着接合可能とし、前記応用部材が縦方向に沿って二つの部分に分裂可能にすると共に、前記応用部材を貫通する流体の流動経路を形成し、流体が管状のケーシングより流出することを特徴とするものである。
本願の第１３考案に係る内部添付打開機構付密封容器は、第１考案に記載の内部添付打開機構付密封容器において、前記の内部添付打開機構には、細長いコップ状物を有し、その径が前記の管状のケーシングの内径とほぼ同じになるように、且つその長さがその径より大きくなるように設定し、前記細長いコップ状物には封止端を有し、前記細長いコップ状物の尾端部には細長い突出物を有し、且つその細長い突出物においては、切れる際にその細長いコップ状物の密閉端部に開口を形成するように、一回りの切り裂き線を形成し、前記の細長いコップ状物を前記の管状ケーシングの内部に差し込むことによって、管状のケーシングの内方の流体を密封し、コップ状物の位置を細長いコップ状物の密閉端近傍に形成した場合、前記管状のケーシングを折り曲げる際に、前記細長い突出物がその切り裂き線の箇所において細長いコップ状物が分裂し、流体の流動経路を形成し、流体を管状のケーシングより流出可能にしたことを特徴とするものである。
本願の第１４考案に係る内部添付打開機構付密封容器は、第１考案に記載の内部添付打開機構付密封容器において、流体の表面張力を減じるために、前記の細長い管状ケーシングの密閉端には細長い部材を固着したことを特徴とするものである。
本願の第１５考案に係る内部添付打開機構付密封容器は、第１考案に記載の内部添付打開機構付密封容器において、前記の内部添付打開機構には、細長い部材を有し、前記の細長い部材を細長い管状ケーシングの内部に配設し、前記の細長い管状ケーシング内の流体を密封し、前記の細長い部材が前記の細長状の管状ケーシングの開口端まで延伸し、打開機構を操作することによって前記の液体を管状ケーシングより流出可能にしたことを特徴とするものである。
【考案の効果】
【０００６】
本考案の提供する内部添付打開機構付密封容器と従来技術を相互に比較すると、下記の点において優れたものとなる。
（１）本考案は、打開機構を介して流体を管状ケーシングの内部に保存するものであるので、使用者は単にその打開機構を操作すれば、その液体を管状ケーシング外へ流出させることができる。
（２）本考案は、操作が簡単であり、組立が便利であり、携帯に便利である。
【考案を実施するための最良の形態】
【０００７】
図１は、内部添付打開機構付密封容器の第一の実施の形態を示す説明図である。
この実施の形態においては、その内部添付打開機構を有する密封容器には、細長い管状ケーシング１を有し、その細長い管状ケーシング１には密封端２と開口端３とを有し、且つ流体４が前記の細長い管状ケーシング１の前記の密封端２近傍に密封されている。
さらに、ある内部添付打開機構５が細長い管状ケーシング１の内部に配設され、且つ前記の流体４を前記の細長い管状ケーシング１内に密封する。
前記の内部添付打開機構５にかかわる操作は、その内部添付打開機構５の所在する箇所またはその近傍で、その細長い管状ケーシング１を押し詰めまたは折り曲げることによって流体４を前記の細長い管状ケーシング１の開口端３より流出させるものである。
【０００８】
図２に示すように、前記の細長い管状ケーシング１については、その横断面が小さいほうに属する場合では、前記の流体４が表面張力の影響を受け、単にその打開機構５を打開するだけでは、その細長い管状ケーシング１内の流体４を流出できない。
このため、ガイド部材６、７を利用して流体４の表面張力の毛細現象を克服する必要があり、それらの操作と原理によって細長い管状ケーシング１内の流体４を流出させるものである。
【０００９】
図３は、内部添付打開機構付密封容器の第三の実施の形態を示す説明図である。
前記の内部添付打開機構５には、円柱体８を有し、その外径が前記の細長い管状ケーシング１の内径とほぼ同じになるように設定され、その細長い管状ケーシング１の流体経路が、開口端３から流体４までの間にあり、且つその流体４の末端に近接する箇所には細長い突出物９を有し、その径が内部添付打開機構５の円柱体８の径より小さく設定され、且つ前記の内部添付打開機構５の円柱体８と分かれることが可能である。
また、前記の細長い突出物９が前記の円柱体８内の小量の流体の経路を密封し、細長い管状ケーシング１内の流体４が前記の内部添付打開機構５より流出することを防止する機能を有する。
前記の細長い管状ケーシング１が、その細長い突出物９と内部添付打開機構５の円柱体８との接合面の近傍が折り曲げられる場合に、細長い突出物９が円柱体８と別れ、小量の流体の経路を暴露し、流体４を細長い管状ケーシング１より、打開機構５の円柱体８を介して流出する。
【００１０】
図４は、内部添付打開機構付密封容器の第四の実施の形態を示す説明図であり、この具体的な実施の形態においては、細長く、折り曲げ可能な管状ケーシング１を備え、その横断面が小さく、且つ密封端２と開口端３を有し、ある流体４が、前記の細長い管状ケーシング１の密封端２近傍に密封され、ある内部添付打開機構５が前記の細長い管状ケーシング１の内部に配設され、且つ流体４を前記の細長い管状ケーシング１内に密封する。
また、前記の内部添付打開機構５には、中空状の円柱体１０を有し、且つ流体に向かう開口端１１を有し、且つ細長い部材１２を具備する密封端を有している。前記の細長い部材１２が中空状の円柱体１０より細長い管状ケーシング１の開口端３まで延伸するものであり、且つ細長い管状ケーシング１の開口端３近傍で端部を形成する。
破れやすい断面１３が前記の中空状円柱体１０の密封端近傍に位置する。
破れやすい断面１３として例えば刻み痕を形成してもよい。
【００１１】
管状ケーシング１が前記の打開機構５の中空状円柱体１０の破れやすい断面１３またはその近傍で折り曲げられる場合に、その中空状円柱体１０の密封端が中空状円柱体１０の開口端３と分かれ、流体４から中空状円柱体１０の開口端３までの貫通される流体経路を形成する。
前記の細長い管状ケーシング１の横断面がかなり小さいため、流体４が表面張力の影響を受け、流体４が前記の管状ケーシング１より流れ出ることができなくなる。
そのため、操作者はそれらの流体４を管状ケーシング１より流出させるか否かを自己の意思にしたがって選択操作可能となる。
もし、それらの流体４を流出しようとする場合では、前記の流体４を収納する管状ケーシング１の部分を押し詰めることによって流体４を強引に細長い部材１２へ流れさせ、流体４が細長い部材１２に流される場合、前記の細長い部材１２が流体４の毛細現象を強化し、管状ケーシング１内の流体４の表面張力を克服し、それらを管状ケーシング１外へ流出させることができる。
【００１２】
また、管状ケーシング１の密封端２なら円柱体１０の開口端１１まで、第二の細長い部材１４を固定してもよい。
図５に示すように、流体４の表面張力を克服するように作用し、流体４を毛細現象に影響されないように処理し、流体４が打開機構５を打開後、すぐに管状ケーシング１より流出可能となる。
【００１３】
図６は、内部添付打開機構付密封容器の第六の実施の形態である。
この実施の形態においては、前記の内部添付打開機構５には、閉経可能なコップ状物１５を備え、その径が前記の管状ケーシング１の内径とほぼ同じように設定され、且つその長さがその径より長く設定される。
また、前記の変形可能なコップ状物１５が管状ケーシング１内に差し込まれ、且つ管状ケーシング１内の流体を密封できる。
図７に示すように、そのコップ状物１５の存在する箇所またはその近傍で前記の管状ケーシング１を折り曲げまたは押し詰めると、前記の変形可能なコップ状物１５がその操作につれて変形し、且つ流体４の流動経路を形成し、流体４がその管状ケーシング１より流出可能となっている。
他に、前記の変形可能なコップ状物の代替として変形可能な球体とすることができ、例えば、プラスチック製中空球体などを使用でき、その径と管状ケーシングの直径とがほぼ同じになるように設定されている。
また、変形可能な球体の位置する箇所またはその近傍で前記の管状ケーシング１を押し詰めると、前記の球体が変形され、且つ流体４の流動経路を形成し、流体４を管状ケーシング１より流出させるように設定することができる。
【００１４】
図８は、内部添付打開機構付密封容器の第七の実施の形態であり、この実施の形態においては、その内部添付打開機構５には、塞がり部材１６を有し、それを折り曲げると、その切り裂き部１７において二つの部分になるように切れてしまうことがあり、その塞がり部材１６には少なくとも一つまたは一つ以上の孔部同士１８を有し、当該孔部１８が前記の塞がり部材１６のそれぞれの端部より延伸して前記の切り裂き部１７を貫通するが、その塞がり部材１６の他端部を貫通しないように形成する。
図９に示すように、その塞がり部材１６の存在する部位またはその近傍の部位で前記のケーシング１を折り曲げると、その塞がり部材１６が切り裂き部１７の箇所で二つの部分になるように分裂され、且つ一つまたは複数の流体４の流動経路を形成し、流体４が流動経路に沿ってケーシング１の開口端３の外方へ流出可能となる。
他に、その塞がり部材１６として、ひねりを加える場合に切り裂き、または分離するような機能を有する打開装置を使用してもよく、操作者はそのような打開装置の存在する箇所でその管状のケーシングにひねりを加えると、流体の流動経路を打開できるようになる。
また、前記の管状ケーシング１が二つの部分からなるようにしてもよく、それらは、塞がり部材１６の存在する箇所でそれらの二つの部分同士をきつく螺旋加工し、そのため、前記の管状ケーシング１にひねりを加える場合では、塞がり部材１６を二部分となるように分離させることができる。
【００１５】
図１０は、内部添付打開機構付密封容器の第八の実施の形態であり、この実施の形態においては、前記の内部添付打開機構５には、円柱状部材１９を有し、そのウエスト部の径が縮径され、そのウエスト部２０の二つの末端部同士２１が管状ケーシング１の内径とほぼ同径に形成されている。
前記の円柱状部材１９は、その軸方向においては穿孔２２を有し、それが、流体４から管状ケーシング１の開口端３までの流体の流動経路を形成する。また、細長い部材２３を有し、それが管状ケーシング１の密封端２に固着され、且つ円柱状部材１９の穿孔２２まで延伸し、前記の穿孔２２と流体の流動経路とを封止する。
前記の円柱状部材１９の箇所でまたはその近傍で前記の管状ケーシング１を折り曲げる場合に、前記の細長い部材２３が前記の円柱状部材１９内の穿孔２２より抜き出され、穿孔２２と流体の流動経路を打開し、図１１に示すように、流体４が管状ケーシング１の開口端３より流出可能となる。
【００１６】
図１２は、内部添付打開機構付密封容器の第九の実施の形態を示す説明図である。
この具体的な実施の形態においては、その内部添付打開機構５には、二つの円形の皿状物２４、２５を有し、それらの横断面がほぼ管状ケーシング１の内径と同径となり、その厚さが管状ケーシング１の内部へ滑り込めないような仕様に形成する。
それらの円形の皿状物２４、２５が一つまたは複数の穿孔２６、２７を有し、それらの二つの円形の皿状物２４、２５を管状ケーシング１内に位置決め、且つ相互に当接させる。
円形の皿状物２４における穿孔２６が他の円形皿状物２５に覆われ、また、円形の皿状物２５の穿孔が前記の円形の皿状物２４に覆われ、そのため、二つの円形の皿状物同士２４、２５内におけるすべての孔部２６、２７がすべて他の円形皿状物２４または２５に封止される。
もし、それらの二つの円形の皿状物同士２４、２５の存在する箇所またはそれらの近傍で前記の管状ケーシング１を折り曲げる場合に、その管状ケーシング１が変形し、変形された管状ケーシング１がそれらの二つの円形の皿状物２４、２５とを相互に分離し、流体４から管状ケーシング１の開口端３までの流体の流動経路を形成する。
図１３に示すように、もし、管状のケーシング１にひねりを加える場合、それらの二つの円形の皿状物同士２４、２５を相互に離脱し、流体の流通経路を打開することができる。
なお、前記の管状ケーシング１も二つの部分同士からなるようにしてもよい。
つまり、二つの円形の皿状物同士２４、２５の隣接面部に二つの部分をきつく螺旋結合し、そうすると、前記の管状ケーシング１にひねりを加える場合に、二つの円形の皿状物同士２４、２５を分離可能となる。
【００１７】
図１４は、内部添付打開機構付密封容器の第十の実施の形態であり、この実施の形態においては、前記の内部添付打開機構５には、円柱状部材２８を有し、その長さの程度は管状ケーシング１の内部へ転落することを防止できる程度に設定する。
また、前記の円柱状部材２８が対角に沿って二つの半分部分に分けられるように設定する。
そのために、対角に沿った切り裂き２９が、一端から他端までの対角に沿って成形され、その中では、ある薄片３０がその円柱状部材２８の切り裂き２９を封止し、管状ケーシング１内の流体４を密封する。
図１５に示すように、前記の管状ケーシング１を押し詰める場合、つまり円柱状部材２８を圧縮する場合に、前記の円柱状部材２８の対角に沿った分割される二つの半分部分が相対的に滑走し、且つ相互に当接しあう。
これにより、円柱状部材２８の断面積を縮減するように作用し、その円柱状部材２８の外表面と管状ケーシング１の内壁との間に流体の流動する経路を形成し、流体４を管状ケーシング１の開口端３より流出する。
【００１８】
図１６は、内部添付打開機構付密閉容器の第十一の実施の形態を示す説明図であり、この実施の形態においては、その内部添付打開機構５には、応用部材３１が配設され、その中間段落近傍の径を管状ケーシング１の内径とほぼ同径に形成する。
前記の応用部材３１の第一の末端部３３として二つの対応し合う分岐部に形成されるものを使用し、それらの分岐部同士が取っ手状に形成され、二つの分岐部が力を受けて圧着されることができるように処理される。
また、前記の応用部材３１の第二の末端部３４は、その横断面が管状ケーシング１の内径より小さく設定され、且つその第二の末端部３４から二分岐部まで、第一の末端部３３の箇所で接合され、その近傍では切り裂き部３５が形成する。
前記の管状ケーシング１を押し詰める場合に、その二分岐部を圧着することによって、図１７に示すように、応用部材３１を縦方向に沿って切り裂き部３５へ向かって二つの半分部分となるように切り裂き、且つ応用部材３１を通過する流体の流動経路を形成させ、流体４を管状ケーシング１より流出可能となる。
【００１９】
図１８は内部添付打開機構付密封容器の第十二の実施の形態である。
この実施の形態においては、前記の内部添付打開機構５には、細長いコップ状物３６を有し、その径が管状ケーシング１の内径とほぼ同じに設定され、且つその長さがその径より大きく形成され、その細長いコップ状物３６のある端部が封止端３７となる。
その封止端３７の尾端部には細長い突出物が形成され、その細長い突出物の周りには一回りの切り裂き線３８が形成する。
その切り裂き線３８を介して細長い突出物を折って切ることができ、細長いコップ状物３６の封止端３７に開口を形成することができる。
また、細長いコップ状物３６を管状ケーシング１の内部に差し込む場合に、管状ケーシング１内の流体を密封すれば、図１９に示すように、その細長いコップ状物３６の封止端３７近傍で管状ケーシング１を折り曲げると、細長い突出物が切り裂き線３８の箇所で細長いコップ状物３６から切れて、流体の流動経路を暴露させ、流体４を管状ケーシング１の開口端３より流出可能となる。
【図面の簡単な説明】
【００２０】
【図１】本考案の内部添付打開機構付密封容器の第一の実施の形態を示す説明図である。
【図２】本考案の内部添付打開機構付密封容器の第二の実施の形態を示す説明図である。
【図３】本考案の内部添付打開機構付密封容器の第三の実施の形態を示す説明図である。
【図４】本考案の内部添付打開機構付密封容器の第四の実施の形態を示す説明図である。
【図５】本考案の内部添付打開機構付密封容器の第五の実施の形態を示す説明図である。
【図６】本考案の内部添付打開機構付密封容器の第六の実施の形態を示す説明図である。
【図７】図６の動作を示す説明図である。
【図８】本考案の内部添付打開機構付密封容器の第七の実施の形態を示す説明図である。
【図９】図８の動作を示す説明図である。
【図１０】本考案の内部添付打開機構付密封容器の第八の実施の形態を示す説明図である。
【図１１】図１０の動作を示す説明図である。
【図１２】本考案の内部添付打開機構付密封容器の第九の実施の形態を示す説明図である。
【図１３】図１２の動作を示す説明図である。
【図１４】本考案の内部添付打開機構付密封容器の第十の実施の形態を示す説明図である。
【図１５】図１４の動作を示す説明図である。
【図１６】本考案の内部添付打開機構付密封容器の第十一の実施の形態を示す説明図である。
【図１７】図１６の動作を示す説明図である。
【図１８】本考案の内部添付打開機構付密封容器の第十二の実施の形態を示す説明図である。
【図１９】図１８の動作を示す説明図である。
【符号の説明】
【００２１】
１        細長い管状ケーシング
２        密封端
３        開口端
４        流体
５        打開機構
６        ガイド部材
７        ガイド部材
８        円柱体
９        細長い突出物
１０      中空状円柱体
１１      開口端
１２      細長い部材
１３      断面
１４      第二の細長い部材
１５      コップ状物
１６      塞がり部材
１７      切り裂き部
１８      孔部
１９      円柱状部材
２０      ウエスト部
２１      末端部
２２      穿孔
２３      細長い部材
２４      円形の皿状物
２５      円形の皿状物
２６      穿孔
２７      穿孔
２８      円柱状部材
２９      切り裂き
３０      薄片
３１      応用部材
３２      中間段落部
３３      第一の末端部
３４      第二の末端部
３５      切り裂き部
３６      細長いコップ状物
３７      封止端
３８      切り裂き線
【図１】
0003110652.tif 000003
【図２】
0003110652.tif 000004
【図３】
0003110652.tif 000005
【図４】
0003110652.tif 000006
【図５】
0003110652.tif 000007
【図６】
0003110652.tif 000008
【図７】
0003110652.tif 000009
【図８】
0003110652.tif 000010
【図９】
0003110652.tif 000011
【図１０】
0003110652.tif 000012
【図１１】
0003110652.tif 000013
【図１２】
0003110652.tif 000014
【図１３】
0003110652.tif 000015
【図１４】
0003110652.tif 000016
【図１５】
0003110652.tif 000017
【図１６】
0003110652.tif 000018
【図１７】
0003110652.tif 000019
【図１８】
0003110652.tif 000020
【図１９】
0003110652.tif 000021